(57)【要約】      （修正有）【課題】足の血行を促進するための適切で効果的なマッサージを施すべく、足裏及び足の甲を同時又は個別にマッサージ可能なマッサージ装置を提供する。【解決手段】足裏及び足の甲を同時に又は個別にマッサージ可能なマッサージ装置１であって、足を載置して足裏をマッサージする装置本体２と、当該載置した足の甲側を被覆してマッサージする足甲被覆体３とからなり、前記装置本体２には、載置した足裏をマッサージするための回転式揉み玉４と、当該回転式揉み玉４を回転させるための駆動手段７と、エアポンプ８とが設けられ、前記足甲被覆体３には、前記エアポンプ８からエアホース９を介して供給及び排出されるエアによって膨張及び収縮するエアバッグ５が設けられ、前記回転式揉み玉４が回転することにより足裏をマッサージし、また、前記エアバッグ５が反復して膨張及び収縮することにより足の甲をマッサージする。【選択図】図２
0003185452.tif 000002
【実用新案登録請求の範囲】
【請求項１】
足裏及び足の甲を同時に又は個別にマッサージ可能なマッサージ装置であって、
足を載置して足裏をマッサージする装置本体と、当該載置した足の甲側を被覆してマッサージする足甲被覆体とからなり、
前記装置本体には、載置した足裏をマッサージするための回転式揉み玉と、当該回転式揉み玉を回転させるための駆動手段と、エアポンプとが設けられ、
前記足甲被覆体には、前記エアポンプからエアホースを介して供給及び排出されるエアによって膨張及び収縮するエアバッグが設けられ、
前記回転式揉み玉が回転することにより足裏をマッサージし、また、前記エアバッグが反復して膨張及び収縮することにより足の甲をマッサージすることを特徴とするマッサージ装置。
【請求項２】
前記足甲被覆体がアーチ状に設けられ、足の爪先部と踵部が露出することを特徴とする請求項１に記載のマッサージ装置。
【請求項３】
前記回転式揉み玉がポリウレタン樹脂と熱可塑性ポリウレタン樹脂の混合素材からなることを特徴とする請求項１又は２のいずれかに記載のマッサージ装置。
【請求項４】
前記回転式揉み玉が発熱可能に形成されていることを特徴とする請求項１乃至３のいずれかに記載のマッサージ装置。
【考案の詳細な説明】
【技術分野】
【０００１】
本考案は、足裏及び足の甲を同時に又は個別にマッサージ可能なマッサージ装置に関する。
【背景技術】
【０００２】
身体の下部に位置する足裏及び足の甲では基本的に血行不良に陥りやすく、当該足裏及び足の甲の血行不良が全身体内における血の循環を阻害するために、足のむくみ、冷え性、肌荒れ、肩こり、関節痛等、身体の各部位に種々の症状をもたらす原因となっている。よって、これら種々の症状の原因となっている足裏及び足の甲に対してマッサージを施せば、血管のポンプ作用が促進され、足裏及び足の甲における血行不良を解消することができるだけでなく、その結果として、全身体内における血液の循環を促進して前記種々の症状を改善することができる。
【０００３】
従来、マッサージ機本体に足を挿入するポケット部を設け、当該ポケット部の挿入した足の甲側及び足の両側部側にエアバッグを設けて足の遊動を防止して足を固定しながら、当該ポケット部の足裏のツボに対応する位置に複数設けた指圧突起によって足裏のマッサージを行うことのできる足裏マッサージ機が提供されている（特許文献１）。
【０００４】
また、マッサージ機本体にベルトを設けて足先が上方へと移動するのを規制し、当該ベルトに足を挿入して足裏側に設けた指圧子によってマッサージを施すことにより、効果的に足裏のマッサージを施すことのできるマッサージ機が提供されている（特許文献２）。
【先行技術文献】
【特許文献】
【０００５】
【特許文献１】特開２００７−１３６０１３号公報
【特許文献２】特開２０１３−５０９号公報
【考案の概要】
【考案が解決しようとする課題】
【０００６】
しかしながら、特許文献１に技術では、足裏のツボに対して適切にマッサージを行うことができるように、前記ポケット部の足の甲側及び両側面側にエアバッグを設けて挿入した足を固定することから足の甲側をマッサージすることができず、血管のポンプ作用を促進させるという目的において、その効果は小さいという問題があった。また、挿入した足がエアバッグによって圧迫されることから長時間のマッサージには向かず、適切で長時間の十分なマッサージ効果を得ることができないという問題があった。
【０００７】
また、特許文献２の技術でも、足の甲側にマッサージを施すことはできず、血行の促進を目的とした適切で効果的なマッサージを施すことはできないという問題があった。
【０００８】
そこで、本考案は、足の血行を促進し、延いては、全身体内における血液の循環を促進することによって前記種々の症状を改善するための適切で効果的なマッサージを施すべく、足裏及び足の甲を同時に又は個別にマッサージ可能なマッサージ装置を提供することを課題とする。
【課題を解決するための手段】
【０００９】
上記課題を解決するために、本考案は次のように構成した。すなわち、本考案に係る請求項１に記載のマッサージ装置は、足裏及び足の甲を同時に又は個別にマッサージ可能なマッサージ装置であって、足を載置して足裏をマッサージする装置本体と、当該載置した足の甲側を被覆してマッサージする足甲被覆体とからなり、前記装置本体には、載置した足裏をマッサージするための回転式揉み玉と、当該回転式揉み玉を回転させるための駆動手段と、エアポンプとが設けられ、前記足甲被覆体には、前記エアポンプからエアホースを介して供給及び排出されるエアによって膨張及び収縮するエアバッグが設けられ、前記回転式揉み玉が回転することにより足裏をマッサージし、また、前記エアバッグが反復して膨張及び収縮することにより足の甲をマッサージすることを特徴としている。
【００１０】
また、請求項２に記載のマッサージ装置は、前記足甲被覆体がアーチ状に設けられ、足の爪先部と踵部が露出することを特徴としている。
【００１１】
また、請求項３に記載のマッサージ装置は、前記回転式揉み玉がポリウレタン樹脂と熱可塑性ポリウレタンの混合素材からなることを特徴としている。
【００１２】
さらに、請求項４に記載のマッサージ装置は、前記回転式揉み玉が発熱可能に形成されていることを特徴としている。
【考案の効果】
【００１３】
本考案に係る請求項１に記載のマッサージ装置によれば、装置本体に回転式揉み玉を設けたことによって使用者の足裏をマッサージでき、且つ、使用者の足の甲を被覆する足甲被覆布にエアによって反復して膨張及び収縮するエアバッグを設けたことによって使用者の足の甲をマッサージすることができる。当該マッサージを施せば、使用者の足裏側及び足の甲側の両側から圧迫等することなくマッサージを施すことができ、血行不良に陥りやすい足裏及び足の甲に対して、特にエアバッグの膨張及び収縮を反復させることで血管のポンプ作用が促進させることにより、血行促進のための適切で効果的なのマッサージを施すことができる。
【００１４】
また、請求項２に記載のマッサージ装置によれば、使用者がアーチ状の足甲被覆体に足を入れる際に、爪先部分と踵部分が露出して開放されているので、足全体が圧迫されることなく、また、通気性にも優れているために長時間のマッサージを施すことができる。また、当該アーチ状の足甲被覆体に挿入した足を前後に動かすことにより、使用者の所望の箇所のマッサージを施すことができる。
【００１５】
また、請求項３に記載のマッサージ装置によれば、前記回転式揉み玉を柔軟性に優れた素材であるポリウレタン樹脂と熱可塑性ポリウレタン樹脂の混合素材で形成したことにより、マッサージを施している際の使用者の足裏への負担を軽減することができ、快適に長時間のマッサージを施すことができる。
【００１６】
さらに、請求項４に記載のマッサージ装置によれば、前記回転式揉み玉を発熱可能に形成したことにより、マッサージによる血行促進効果をさらに向上させることができる。
【図面の簡単な説明】
【００１７】
【図１】本考案に係るマッサージ装置を示す外観斜視図である。
【図２】当該マッサージ装置の内部構造を示す展開図である。
【図３】当該マッサージ装置の使用状態を示す斜視図である。
【考案を実施するための形態】
【００１８】
以下、図面に基づいて本考案を具体的に説明する。まず、図１は、本考案に係るマッサージ装置１を示す外観斜視図である。当該マッサージ装置１は、足裏及び足の甲を同時に又は個別にマッサージを施すことができるものであって、装置本体２と当該装置本体２の表面にアーチ状に設けられた足甲被覆体３とからなり、当該装置本体２には、使用者の足裏にマッサージを施す合成樹脂製の回転式揉み玉４が内蔵され、当該足甲被覆体３には、使用者の足の甲にマッサージを施すエアバッグ５が内蔵されている。なお、図中の符号Ａは、当該マッサージ装置１を操作するスイッチ群Ａである。
【００１９】
図２は、当該マッサージ装置１の内部構造を示す展開図である。装置本体２は、箱型で合成樹脂製のハウジング６の内部に前記回転式揉み玉４を回転させるための駆動手段７が内蔵されている。当該駆動手段７は、電動駆動する駆動モーター７ａと、当該駆動モーター７ａのシャフトに設けられたウォームギア７ｂと、当該ウォームギア７ｂと噛み合うはすば歯車７ｃ及び小歯車７ｄが二段に形成される二段歯車７ｅと、当該小歯車７ｄと噛み合う平歯車７ｆと、当該平歯車７ｆの軸線上に設けられた回転軸７ｇと、当該回転軸７ｇの上端に取付けられた回転台７ｈから構成されている。電動駆動の駆動モーター７ａからの回転運動は、これら駆動手段７の左右一対の各構成要素を介して回転式揉み玉４に伝達され、当該回転式揉み玉４が回転可能となるように構成されている。
【００２０】
また、一方、ハウジング６内には、エアポンプ８が内蔵され、エアホース９を介して足甲被覆体３のエアバッグ５に接続されているとともに、当がエアホース９には、エアを排出するための排出口１０も設けられている。当該エアポンプ８から供給されるエアは、エアホース９を介してエアバッグ５に供給され、エアバッグ５を適当に膨張させた後、エアホース９を介して排出口１０から排出され、エアバッグ５を収縮させる。このように、エアバッグ５が反復して膨張及び収縮することにより足の甲にもマッサージを施すことができる。
【００２１】
このようにハウジング６の内部を構成し、ハウジング６の上蓋として蓋体１１を被せて固定する。当該蓋体１１には、回転式揉み玉４を上面に露出するための孔１１ａが夫々回転式揉み玉４に対応する位置に設けられており、また、前記エアホース９をハウジング６内からエアバッグ５へと接続するための貫通口１１ｃが設けられている。また、当該蓋体１１の表面には、前記孔１１ａ及び貫通孔１１ｃと同様に孔が設けられたシート状のクッション材１１ｂが被覆され、さらに、当該蓋体１１及び前記回転式揉み玉４を被覆するようにして伸縮素材のメッシュ生地１２が取付けられている。使用者は、当該メッシュ生地１２の上面に足裏を載置するため、クッション材１１ｂによって足裏を保護し、メッシュ生地１２によって肌触りが良く通気性に優れて蒸れにくいことから、快適に長時間足裏のマッサージを施すことができる。
【００２２】
次に、足甲被覆体３は、前記装置本体２上にアーチ状に形成されて、使用者の左右の足を挿入した際に、夫々左右の足の甲に対応する位置に左右一対のエアバッグ５が内蔵されおり、前記エアホース９からのエアの供給によって膨張し、また、当該エアを排出口１０から排出することにより、当該膨張及び収縮を反復させて足の甲のマッサージを施すことができる。なお、当該足甲被覆体３は、中空に形成されており、当該中空に前記エアバッグ５が収納されている。
【００２３】
ハウジング６内に構成される電源装置及び制御部については、具体的な説明を省略するが、上蓋１１の表面にはスイッチ群Ａが設けられ、当該スイッチ群Ａを操作することにより、回転式揉み玉の回転速度やエアバッグ５の膨張収縮間隔等の調節をすることができる。また、リモートコントローラによって当該調節を行うようにしてもよい。
【００２４】
図３は、当該マッサージ装置１の使用状態を示す斜視図である。使用者は、図３に示すように、装置本体２の表面とアーチ状の足甲被覆体３との間に左右の足を挿入する。前記スイッチ群Ａを操作することによって、回転式揉み玉４を回転させて足裏のマッサージを施すことができ、また、エアバッグ５の膨張収縮を反復させて足の甲のマッサージを施すことができる。足裏のみのマッサージ又は足の甲のみのマッサージを施してもよく、これら両方のマッサージを同時に行ってもよい。
【００２５】
このように、マッサージ装置１によりマッサージを施せば、使用者の足裏側及び足の甲側の両側から圧迫等することなく同時にマッサージを施すことができ、血行不良に陥りやすい足裏及び足の甲に対して、血管のポンプ作用を促進させ、血行促進のための適切で効果的なのマッサージを施すことができる。
【００２６】
また、図３に示すように、使用者の爪先部分と踵部分とが露出して開放されているために、足が圧迫されることなく通気性にも優れているためにマッサージを長時間施すことができる。また、当該アーチ状の足甲被覆体に挿入した足を前後に動かすことにより、使用者の所望の箇所のマッサージを施すこともできる。
【００２７】
なお、足甲被覆体３はアーチ状とはせず、爪先部分も被覆できる袋状の足甲被覆体３を設けてもよく、使用者の爪先部分が露出されることはないものの、血行促進のための適切で効果的なのマッサージを施すことができる。
【００２８】
次に、他の実施例のマッサージ装置１について説明する。
【００２９】
当該マッサージ装置１は、前記実施例のマッサージ装置１との差異が、前記回転式揉み玉４を柔軟性に優れた素材であるポリウレタン樹脂と熱可塑性ポリウレタン樹脂の混合素材で形成したものである点であり、これにより、マッサージを施している際の使用者の足裏への負担が少なくなり、適切なマッサージを長時間施すことができる。
【００３０】
また、他の実施例として、マッサージ装置１は、前記実施例のマッサージ装置１との差異が、前記回転式揉み玉４の内部に発熱体を設けた点にあり、このように、回転式揉み玉４を発熱可能に形成したことにより、当該発熱によってマッサージ中の血行促進効果をさらに向上させることができる。
【００３１】
このように、各実施例のマッサージ装置１は、使用者の足裏及び足の甲に同時にマッサージを施すことができるため、足裏側及び足の甲側の両側からの同時のマッサージによって血管のポンプ作用が促進され、足裏及び足の甲における血行不良を解消することができるだけでなく、延いては、全身体内における血液の循環を促進して、足のむくみ、冷え性、肌荒れ、肩こり、関節痛等、身体の各部位に生じる種々の症状を効果的に改善することができる。
【産業上の利用可能性】
【００３２】
前記マッサージ装置１のアーチ状に形成した足甲被覆体３に使用者の腕を挿入し、エアバッグ５の膨張及び収縮を繰り返すことにより、使用者の腕にマッサージを施すこともできる。
【符号の説明】
【００３３】
１      マッサージ装置
２      装置本体
３      足甲被覆体
４      回転式揉み玉
５      エアバッグ
６      ハウジング
７      駆動手段
７ａ    駆動モーター
７ｂ    ウォームギア
７ｃ    はすば歯車
７ｄ    小歯車
７ｅ    二段歯車
７ｆ    平歯車
７ｇ    回転軸
７ｈ    回転台
８      エアポンプ
９      エアホース
１０    排出口
１１    上蓋
１１ａ  孔
１１ｂ  クッション材
１２    メッシュ生地
Ａ      スイッチ群
【図１】
0003185452.tif 000003
【図２】
0003185452.tif 000004
【図３】
0003185452.tif 000005